(57)【要約】【課題】レースウェイを開口面を互いに逆向きにした状態で連結する。【解決手段】対向して設けられた互いに平行な第１、第２の側板３１、３２と、第１、第２の側板３１、３２の長手方向の互いに反対側で且つ第１、第２の側板３１、３２の幅方向の互いに反対側にそれぞれ設けられた第１、第２の取付け板３３、３４とを備え、第１、第２の取付け板３３、３４にそれぞれネジ穴３３ａ、３４ａを設け、開口面を互いに逆向きにしたリップ溝形鋼から成る２本のレースウェイの各端部の内側に第１、第２の取付け板３３、３４及び第１、第２の側板３１、３２の長手方向の両端をそれぞれ挿入し、ネジ穴３３ａ、３４ａに第１、第２の取付け板３３、３４の内側から取り付けたネジの先端で各レースウェイの底板１１を押圧して第１、第２の側板３１、３２の幅方向の第１、第２の取付け板３３、３４と反対側の端部を各レースウェイのリップ縁部１３の内側に当接させて各レースウェイに固定することによって、２本のレースウェイの端部同士を互いに開口面を逆向きにした状態で接続するようにした。【選択図】　　　　図１
2004019753.tif 000002
【特許請求の範囲】
【請求項１】
対向して設けられた互いに平行な第１、第２の側板と、
前記第１、第２の側板の長手方向の互いに反対側で且つ前記第１、第２の側板の幅方向の互いに反対側にそれぞれ設けられた第１、第２の取付け板とを備えたレースウェイ継ぎ金具であって、
前記第１、第２の取付け板にそれぞれネジ穴を設け、
開口面を互いに逆向きにしたリップ溝形鋼から成る２本のレースウェイの各端部の内側に前記第１、第２の取付け板及び前記第１、第２の側板の長手方向の両端をそれぞれ挿入し、前記ネジ穴に前記第１、第２の取付け板の内側から取り付けたネジの先端で各レースウェイの底板を押圧して前記第１、第２の側板の幅方向の前記第１、第２の取付け板と反対側の端部を各レースウェイのリップ縁部の内側に当接させて各レースウェイに固定することによって、２本のレースウェイの端部同士を互いに開口面を逆向きにした状態で接続するようにしたことを特徴とするレースウェイ継ぎ金具。
【請求項２】
前記第１の側板の長手方向の一端側において前記第１の側板の幅方向の一端から、垂直方向に前記第１の取付け板が延設され、
前記第１の取付け板の幅方向の他端から、前記第１の側板と長手方向の長さ及び幅方向の長さがほぼ等しい前記第２の側板が前記第１の側板と対向するように垂直方向に延設され、
前記第２の側板の、前記第１の取付け板に対して長手方向の反対側で且つ幅方向の反対側の端部から、前記第１の側板側へ垂直方向に前記第２の取付け板が延設された請求項１記載のレースウェイ継ぎ金具。
【発明の詳細な説明】
【０００１】
【発明の属する技術分野】
本発明はレースウェイ（あるいはダクト）を開口面を互いに逆向きにした状態で連結できるようにした継ぎ金具に関する。
【０００２】
【従来の技術】
例えばビル、工場、店舗、駅構内などの建造物には、レースウェイ（寸法が所定値を下回るもの）あるいはダクト（寸法が所定値以上のもの）と称される長尺のリップ溝型鋼材（以下総称してレースウェイと記す）が、配設される。
【０００３】
即ち、図７に示すように複数のレースウェイ１、１、…が長手方向に連結され、支持材（例えば吊り金具２）によって例えば天井に沿って配設され、このレースウェイ１、１、…に沿って例えば照明器具３などが取付けられ、その電気コードがレースウェイ１、１、…内に沿って配線される。
【０００４】
このレースウェイ１はリップ溝形鋼から成り、図７に示すように底板１１と、両側板１２、１２と、両側板１２、１２の先端から内方へ折曲げ形成されたリップ縁部１３、１３とから成る断面コ字状で、底板１１の反対側が開口面１４となっている。そして、複数本のレースウェイ１、１…が長手方向に継ぎ金具２０で長手方向に連結して配設される。
【０００５】
このように複数のレースウェイ１、１、…を長手方向に連結するための従来の継ぎ金具２０は、図８、図９に示すように、底板２１と、この底板２１の幅方向の両端において垂直方向に折曲げられた対向する一対の側板２２、２２とを備えていて、継ぎ金具２０の底板２１には、長手方向の両側において、それぞれ２個のネジ穴２３ａ、２３ａ及び２３ｂ、２３ｂが設けられ、各ネジ穴２３ａ及び２３ｂには、ネジ２４が、その先端２４ａが底板２１の下面側に突出しない程度までネジ込まれた状態で予め取付けられている。
【０００６】
このため、図９に示すように、継ぎ金具２０の長手方向の両端部を開口面１４を同じ向きにした２本のレースウェイ１ａ、１ｂの各端部の内側にレースウェイ１の底板１１の内側に継ぎ金具２０の底板２１が重なるように挿入し、各ネジ２４をそれぞれ予め取付けられた状態からさらにネジ込んで、各ネジ２４の先端２４ａでレースウェイ１の底板１１の内面を押圧することによって、継ぎ金具２０の両側板２２、２２の上端２２ａ、２２ａをレースウェイ１ａ、１ｂの両リップ縁部１３、１３の各基部１３ａ、１３ａの内面に押圧させる。これによって、継ぎ金具２０の両端に２本のレースウェイ１ａ、１ｂの各端部を固定する。
【０００７】
【発明が解決しようとする課題】
しかしながら、このような構造の従来の継ぎ金具２０では、図７あるいは図１０に示すように２本のレースウェイ１ａ、１ｂの開口面１４，１４が同じ向きの状態にしか連結できない。
【０００８】
このため、図７に示すように開口面１４，１４を上向きにして２本のレースウェイ１ａ、１ｂを連結した場合には、例えば照明器具３を左方のレースウェイ１の下面に取り付ける際には、左方のレースウェイ１ａの底板１１に穴（図示せず）を施工現場で加工してレースウェイ１ａ、１ｂ内に配線された電気コード（図示せず）をこの穴から底板１１の下面側に引き出して照明器具３に接続するか、あるいは、図７に示すように、コンセントボックス５をレースウェイ１ｂの上に取付けて、レースウェイ１ａ、１ｂ内に配線された電気コードをコンセントボックス５に接続し、このコンセントボックス５から接続コード６を照明器具３に接続しなければならないため、作業に多大の時間がかかっていた。
【０００９】
また逆に、図１０に示すように開口面１４，１４を下向きにして２本のレースウェイ１ａ、１ｂを連結した場合には、レースウェイ１ａ、１ｂの下側に接近して盤などの障害物（図示せず）があると、電気コードが開口面１４から下方へ垂れるので電気コードが障害物に引っかかって延線作業が困難となり、また図１０に示すように天井面から電線管７を接続する場合には、レースウェイ１ｂの底板１１に施工現場で穴（図示せず）を加工しなければならないので、作業に多大の時間がかかっていた。
【００１０】
本発明はこのような事情に鑑みてなされたもので、レースウェイ（あるいはダクト）を開口面を互いに逆向きにした状態で連結できるようにした継ぎ金具を提供することを目的としている。
【００１１】
【課題を解決するための手段】
前記目的を達成するために、本発明の請求項１のレースウェイ継ぎ金具は、
対向して設けられた互いに平行な第１、第２の側板と、
前記第１、第２の側板の長手方向の互いに反対側で且つ前記第１、第２の側板の幅方向の互いに反対側にそれぞれ設けられた第１、第２の取付け板とを備えたレースウェイ継ぎ金具であって、
前記第１、第２の取付け板にそれぞれネジ穴を設け、
開口面を互いに逆向きにしたリップ溝形鋼から成る２本のレースウェイの各端部の内側に前記第１、第２の取付け板及び前記第１、第２の側板の長手方向の両端をそれぞれ挿入し、前記ネジ穴に前記第１、第２の取付け板の内側から取り付けたネジの先端で各レースウェイの底板を押圧して前記第１、第２の側板の幅方向の前記第１、第２の取付け板と反対側の端部を各レースウェイのリップ縁部の内側に当接させて各レースウェイに固定することによって、２本のレースウェイの端部同士を互いに開口面を逆向きにした状態で接続するようにしている。
【００１２】
また、請求項２のレースウェイ継ぎ金具は
前記第１の側板の長手方向の一端側において前記第１の側板の幅方向の一端から、垂直方向に前記第１の取付け板が延設され、
前記第１の取付け板の幅方向の他端から、前記第１の側板と長手方向の長さ及び幅方向の長さがほぼ等しい前記第２の側板が前記第１の側板と対向するように垂直方向に延設され、
前記第２の側板の、前記第１の取付け板に対して長手方向の反対側で且つ前記第１の側板に対して幅方向の反対側の端部から、前記第１の側板側へ垂直方向に前記第２の取付け板が延設されている。
【００１３】
【発明の実施の形態】
以下、図面に基づいて本発明の実施の形態を説明する。
図１は本発明の一実施形態のレースウェイ継ぎ金具を示している。
このレースウェイ継ぎ金具３０は、対向して設けられた互いに平行な第１、第２の側板３１、３２を備えている。
【００１４】
そして、第１、第２の側板３１、３２の長手方向の互いに反対側で、且つ第１、第２の側板３１、３２の幅方向の互いに反対側に（即ち、上下互い違いに）第１、第２の取付け板３３、３４がそれぞれ設けられている。
【００１５】
レースウェイ継ぎ金具３０の第１、第２の側板３１、３２の外面間の距離は、レースウェイ１の両側板１２、１２の内面間の距離よりわずかに小に設定されている。また、第１、第２の側板３１、３２の高さは、レースウェイ１の底板１１からリップ縁部１３の基部１３ａの内面間の距離よりわずかに小に設定されている。
【００１６】
前記第１、第２の取付け板３３，３４には、長手方向にそれぞれ２個のネジ穴３３ａ，３３ａ及び３４ａ、３４ａが設けられている。
【００１７】
なお、第１、第２の側板３１、３２の長手方向の中央において、幅方向の両端に長手方向の中央を示すための切欠き３１ａ、３１ｂ、３２ａ、３２ｂが設けられている。また、第１、第２の側板３１、３２の長手方向の両端において、それぞれ第１、第２の取付け板３３、３４の反対側の角部において、レースウェイ１内に挿入しやすくするためのテーパー部３１ｃ、３１ｄ、３２ｃ、３２ｄが設けられている。
【００１８】
各ネジ穴３３ａ、３３ａ及び３４ａ、３４ａには、図２、図３、図４に示すように、プラスチック製の保護体３５（レースウェイ１内に収容される電気コードなどにネジ３６の頭部３６ｂが直接接触しないようにするために用いる。）の円形凹部３５ａの中心の挿通穴を通って、ネジ３６が、その先端３６ａが第１、第２の取付け板３３、３４の外面側に突出しない程度までネジ込まれた状態で、予め取付けられている（図２、図３、図４はネジ先端３６ａが外面側へ突出した状態を描いている。）。
【００１９】
このレースウェイ継ぎ金具３０は例えば次のようにして作成できる。
即ち、金属板４０を図５の形状に打ち抜く。そして、第２の取付け板３４に相当する部分を、第２の側板３２に相当する部分との境界線Ｃに沿って垂直に折り曲げ、さらに第１の側板３１に相当する部分を、第１の取付け板３３に相当する部分との境界線Ａに沿って垂直に折り曲げ、第２の側板３２に相当する部分を、第１の取付け板３３に相当する部分との境界線Ｂに沿って垂直に折り曲げる。
【００２０】
このようにして、第１の側板３１の長手方向の一端側において第１の側板３１の幅方向の一端から、垂直方向に第１の取付け板３３が延設され、第１の取付け板３３の幅方向の他端から、第１の側板３１と長手方向の長さ及び幅方向の長さがほぼ等しい第２の側板３２が第１の側板３１と対向するように垂直方向に延設され、第２の側板３２の、前記第１の取付け板３３に対して長手方向の反対側で且つ幅方向の反対側の端部から、第１の側板３１側へ垂直方向に第２の取付け板３４が延設された構造のレースウェイ継ぎ金具３０が作成できる。
【００２１】
次に，この実施形態のレースウェイ継ぎ金具３０の使用法を説明する。
前記したように、レースウェイ継ぎ金具３０の第１、第２の側板３１、３２の外面間の距離は、レースウェイ１の両側板１２、１２の内面間の距離よりわずかに小に設定されて、第１、第２の側板３１、３２の高さは、レースウェイ１の底板１１からリップ縁部１３の基部１３ａの内面間の距離よりわずかに小に設定されているため、図２、図３に示すように、開口面１４を上向きにしたレースウェイ１ａの右端部の底板１１の上面にレースウェイ継ぎ金具３０の第１の取付け板３３が重なるように、且つレースウェイ継ぎ金具３０の第１、第２の側板３１、３２の左半部がレースウェイ１の両側板１２、１２の内側に重なるように、レースウェイ継ぎ金具３０の左半部を挿入することができる。
【００２２】
そして、第１の取付け板３３のネジ穴３３ａ、３３ａに予め取付けられたネジ３６、３６をさらにネジ込むと、各ネジ３６、３６の先端３６ａ、３６ａが第１の取付け板３３の下面から下方へ進出してレースウェイ１の底板１１の上面を押圧する。このためレースウェイ継ぎ金具３０は底板１１から上方へ押し上げられ、レースウェイ継ぎ金具３０の第１、第２の側板３１、３２の左半部の上端面３１ｅ、３２ｅがレースウェイ１のリップ縁部１３、１３の基部１３ａ、１３ａの内面に強く押圧され、これによって、レースウェイ継ぎ金具３０の左半部は開口面１４が上向きのレースウェイ１の右端部内に挿入された状態で固定される。
【００２３】
同様に、図２、図４に示すように、開口面１４を下向きにしたレースウェイ１ｂの左端部の底板１１の下面側にレースウェイ継ぎ金具３０の第２の取付け板３４が重なるように、且つレースウェイ継ぎ金具３０の第１、第２の側板３１、３２右半部がレースウェイ１ｂの両側板１２、１２の内側に重なるように、レースウェイ継ぎ金具３０の右半部を挿入する。
【００２４】
そして、レースウェイ継ぎ金具３０の第２の取付け板３４のネジ穴３４ａ、３４ａに予め取付けられたネジ３６、３６をさらにネジ込むと、各ネジ３６、３６の先端３６ａ、３６ａが第２の取付け板３４の上面から上方へ進出してレースウェイ１ｂの底板１１の下面を押圧する。このためレースウェイ継ぎ金具３０は底板１１から下方へ押し下げられ、レースウェイ継ぎ金具３０の第１、第２の側板３１、３２の右半部の下端面３１ｆ、３２ｆがレースウェイ１ｂのリップ縁部１３、１３の基部１３ａ、１３ａの内面に強く押圧され、これによって、レースウェイ継ぎ金具３０右半部は開口面１４が下向きのレースウェイ１ｂの左端部内に挿入された状態で固定される。
【００２５】
このようにして、図２に示すように、レースウェイ継ぎ金具３０によって２本のレースウェイ１ａ、１ｂを開口面１４、１４が互いに逆向きの状態で長手方向に連結することができる。
【００２６】
従って、図７を用いて説明すると、右方のレースウェイ１ｂの開口面１４が上向きの場合に、その左方のレースウェイ１ａを本発明のレースウェイ継ぎ金具３０を用いてその開口面１４を下向きにして連結すれば、そのままレースウェイ１ａ内から電気コードを照明器具３に接続できるから、左方のレースウェイ１ａも開口面１４を上向きにした場合のようにレースウェイ１ａの底板１１に穴を施工現場で加工したり、あるいは、図７に示すように、コンセントボックス５をレースウェイ１ｂの上に取付けたりする手間を省くことができる。
【００２７】
また、図１０を用いて説明すると、左方のレースウェイ１ａの開口面１４が下向きの場合には、右方のレースウェイ１ｂを本発明のレースウェイ継ぎ金具３０を用いてその開口面１４を上向きにして連結すれば、レースウェイ１ｂの下側に接近して盤などの障害物（図示せず）があっても電気コードはレースウェイ１ｂから下方へ垂れないので延線作業の困難がなくなり、また図１０に示すように天井面から電線管７を接続する場合でも、電線管７から電気コードをそのままレースウェイ１ｂ内に導けばいいから、レースウェイ１ｂの底板１１に穴を加工する手間を省くことができる。
【００２８】
図６は本発明の他の実施形態のレースウェイ継ぎ金具３０′を示している。
このレースウェイ継ぎ金具３０′では、第１、第２の取付け板３３、３４の中央寄りの端部に山型の折曲げ部３７、３８が設けられている。
【００２９】
このように折曲げ部３７、３８を設ければ、連結される２本のレースウェイ１ａ、１ｂのリップ縁部１３の端部の接続境目に、レースウェイ１ａ、１ｂを通る電気コードが直接接触して傷つくことを未然に防ぐことができる。
【００３０】
【発明の効果】
以上説明したように、本発明によれば、２本のレースウェイ（あるいはダクト）を開口面を互いに逆向きにした状態で連結することがてきる。
【図面の簡単な説明】
【図１】本発明の一実施形態を示す斜視図
【図２】図１の継ぎ金具の使用状態を示す断面図
【図３】図１におけるＡ−Ａ線断面図
【図４】図１におけるＢ−Ｂ線断面図
【図５】図１の継ぎ金具の作成方法を示す説明図
【図６】本発明の他の実施形態を示す斜視図
【図７】従来のレースウェイの連結状態を示す斜視図
【図８】従来のレースウェイの継ぎ金具を示す斜視図
【図９】従来のレースウェイの連結状態を示す断面図
【図１０】従来のレースウェイの連結状態を示す斜視図
【符号の説明】
１　レースウェイ
１１　底板
１２　側板
１３　リップ縁部
１４　開口面
３０　レースウェイ継ぎ金具
３１　第１の側板
３２　第２の側板
３３　第１の取付け板
３４　第２の取付け板
３５　保護体
３６　ネジ
【図１】
2004019753.tif 000003
【図２】
2004019753.tif 000004
【図３】
2004019753.tif 000005
【図４】
2004019753.tif 000006
【図５】
2004019753.tif 000007
【図６】
2004019753.tif 000008
【図７】
2004019753.tif 000009
【図８】
2004019753.tif 000010
【図９】
2004019753.tif 000011
【図１０】
2004019753.tif 000012